(57)【要約】【課題】手紐１と収容袋２とでなる携帯用バッグをオリジナリティーの自分好みのアクセサリーの装着をこれらのバッグの表面に係合出来るようにすること。【解決の手段】手紐１と収容袋２とでなる携帯用バックのその収容袋２の露出面３の一部に小穴４を数個開口し、それらの小穴４にめくらぶた５を着脱自在手段で係止し、めくらぶた５なしでの小穴４に自分好みのアクセサリー６を装着入替え可能な構成でのバックにする。【選択図】図１
0003112291.tif 000002
【実用新案登録請求の範囲】
【請求項１】
手紐（１）と収容袋（２）とでなる携帯用バッグにおいて、収容袋（２）の露出面（３）の一部に小穴（４）を数個開口し、それらの小穴（４）にめくらぶた（５）を着脱自在手段で係止し、めくらぶた（５）なしでの小穴（４）に自分好みのアクセサリー（６）を装着入替え可能にしたことを特徴とするアクセサリー入替え小穴付バッグ。
【請求項２】
前記する小穴（４）の開口部を裏面からカバー体（７）にてふさいだことを特徴とする請求項１記載のアクセサリー入替え小穴付バッグ。
【考案の詳細な説明】
【技術分野】
【０００１】この考案はバッグに関し、更に詳しくはこれらのバッグの表面に小穴を開口しこれらに自分好みのアクセサリーを装着自在にしたバッグに関する。
る。
【背景技術】
【０００２】此の種の従来の技術として、一般的に知られるバッグは、手に持ったり肩に掛けたりする手紐と収容袋が一体的に構成するバッグが様々な形態で市場に出回っている。【０００３】即ち、用途に応じて使い分けするための品種は様々でこれらのバッグの呼び名も外観デッサンの違いで、トートバッグから手提げバッグ、ディリ−バッグ、ショルダーバッグ、そしてボストンバッグと限りなく存在する。【０００４】そして、これらは実用的なローコストの布製から高級品の革製に至るまで、素材の面からも幅広く存在する。【０００５】このように女性用での多くのバッグはその収納袋形態は素材面から色調サイズと多品種に氾濫するが多くは収納袋内側は小物をいれるオープンポケットや中仕切り程度の機能付が一般的である。
【考案の開示】
【考案が解決しようとする課題】
【０００６】しかし上記する女性向けの携帯するバックは、常時お稽古やショッピング或いは通勤、通学、レクリエーション等々と利用者は身につけて行動することで、ファッション性が優先され、自分流の好みのアクセサリーをバッグに装備するのに、手紐に吊るすことで、バッグを肩に掛けたり、急ぎ足時にバッグが揺れる際にアクセサリーがふらつきまとい、或いは絡み合うなどの課題がある。【０００７】このように手紐にしかアクセサリーが装着出来ず吊下げ方式に限定されることで、手紐以外での収容袋の表面に手軽に自分流のオリジナルアクセサリーを装備することでファッション性を高めることの出来るバッグが強く要望されていた。【０００８】何故なら、ブローチやイニシャルプレートやペンダントたぐいの装飾品をバッグの手紐に吊るすことは、バッグのアクセントに不向きで、ファッション性を損なってしまうなどの課題になる。【０００９】このように吊るす小物やアクセサリーが限定されてバッグの手紐に装備されるが、プレートのように吊るさず自分好みのアクセサリーを収容袋の表面に手軽に係合が出来るなら、携帯時やテーブル面に置いた状態でもファッションとしてのアクセサリーの価値を高められるのではという願望が生まれる。
【課題を解決するための手段】
【００１０】この考案はかかる課題を解決するために、請求項１での考案は図１．２．３で述べるに、手紐（把っ手）１と収容袋２とで構成する携帯用バッグの収容袋２の露出面３の一部に小穴４を数個開口し、これらの小穴４にめくらぶた５をはめ込み着脱自在手段で係止しめくらぶた５なしでの小穴４に自分好みの小物やアクセサリー６を入替え自在に装着出来る構成が最適である。【００１１】次にまた、請求項２についての考案を図４で述べるに、前記する小穴４の開口部を裏面からカバー体７を使ってふさいでしまう考案である。
【考案の効果】
【００１２】本考案は、上述の通り構成作用するので次の優れた効果を奏する。即ち、第１実施例で述べるように、バッグの収容袋の最も目立つ面に開口する小穴を利用することで自分好みの小物ゃプレートのようなひもなしのアクセサリーを装着出来るファッション性の高いプライベートバッグに変身出来るアクセサリー入替え小穴付きバッグを提供出来る。【００１３】そしてまた、小穴はめくらぶたが個別に装着されていることで、めくらぶた自体をアクセサリーとしてメーカーサイドで数品種のスペアーを一括調達し、バッグとセッティングすることで好みのアクセサリーにメンテナンスの出来るアクセサリー入替え小穴付きバッグを提供出来る。【００１４】次に第２実施例で述べるようにバック面に開口する小穴が裏側に設けたカバー体によって小穴が開口ままでの形態でも収容袋内の収容物が外部からのぞかれたり、小雨が吹き込だりしない安全なアクセサリー入替え小穴付きバッグを提供出来る。
【考案を実施するための最良の形態】
【００１５】以下に図示の実施例に基づいて本考案を更に詳細に説明する。即ち図１、図２図３は本考案での第１実施例での全体を示す斜視図で、手紐（把っ手）１と収容袋２とは一体化した携帯用のバッグであってこれらのバッグの形態は用途に応じ、外観、素材、サイズ、開口部、手紐１の形状など多様化されている。【００１６】このように多様化する女性用のバック類で広く利用されるトートバックを本考案での実施例をあげるが、ハンドバック、ショルダーバック、旅行なとで使うボストンバックや手提げバック等に市場に出回る携帯するバックの収容袋２の露出面３の一部に小穴４を数個開口し、これらの小穴４をふさぐためのアクセサリーを兼ねた、めくらぶた５を着脱自在に装着し、自分好みのアクセサリーをめくらぶた５を取外して、小穴４の開口部に取付自在に装備可能な構成とする。【００１７】そして、開口する小穴４をふさぐ、めくらぶた５の外観は本実施例では、丸形状の裏面にスナップ５ａを設け小穴４にさし込んで固着し、これらは、スナップ５ａの先端をバックの内側から押すことで取外せる構成であるが、アクセサリーを兼ねる丸形状の他に、（ａ）図に示すようにフラット面の裏面に、小穴４に係合するスナップ５ａを設けるなどで、めくらぶた５を構成することも出来る。【００１８】これらのめくらぶた５は当然ながら、バックの製造メーカーによってデッサン企画、調達され、バックのインテリアの一環として企画されるセット品で数点、装備品として属品扱いにすることで価値を高める。【００１９】このように、バックに開口する小穴４はバックの素材によって相応の小穴４の開口部仕上げを工夫することになる。例えば皮革での収容袋２の小穴４の縁には金属、樹脂成形品でのはと目４ａなどで仕上げてもよく、織布素材での収容袋２でしたらミシン縫製でのからみ縫いなどで仕上げられるが、仕上げは特定するものでなく開口する小穴４も、丸穴に限らず、非円形でもよく、小穴４のサイズも大小様々、模様としての役割も大きなワンポイントである。【００２０】そして、これらの小穴４の利用者は、めくらぶた５付きでの形態で小穴４の外部に目だたない、めくらぶた５がファッショナブルなワンポイントアクセサリーでありめくらぶた５を取り外して、この小穴４に連接するアクセサリーは、特定するものでなく様々な自分好みの小物が吊下げたり、はめ込んだりすることの出来る小穴４の役割である。【００２１】次に図４は本考案での第２実施例での全体を示す斜視図で前記する小穴４はめくらぶた５の装着時は、外部からの小穴４の開口部はかくれた形態となるが、これらのめくらぶた５がとりはずされたままでの形態は、小穴４から内部に収容する備品や収納品が見えるなどを防止出来る布製のカバー体７を設けている。【００２２】これらのカバー体７は収納袋２の小穴４をふさぐことで、外部からの防塵や防水も出来ることで、カバー体７の材質は特定するものでなく不織布や布材などを片開きに縫い付けるなどの仕上げもよく、且つ外部から除かれても美的視認でのカラフルな色調を選定するのもよい。
【図面の簡単な説明】
【００２３】
【図１】本考案に係わる第１実施例での全体斜視図である。図中（ａ）は、他のめくらぶたの斜視図である。
【図２】本考案に係わる第１実施例での使用例での１部カットでの全体斜視図である。
【図３】本考案に係わる第１実施例での他の使用例での全体斜視図である。
【図４】本考案に係わる第２実施例での２品種での全体斜視図である。
【符合の説明】
【００２４】１      手紐
２      収容袋
３      露出面
４      小穴
４ａ    はと目
５      めくらぶた
５ａ    スナップ
６      アクセサリー
７      カバー体
【図１】
0003112291.tif 000003
【図２】
0003112291.tif 000004
【図３】
0003112291.tif 000005
【図４】
0003112291.tif 000006